(57)【要約】      （修正有）【課題】メンテナンスにおける利便性のみならず施工作業における利便性をも向上する、エアコンディショナー室外機およびエアコンディショナー室内機からのドレインホースなどを接続するためのジョイント部品を提供する。【解決手段】ジョイント部品は、出入り口１１１、１１２および１１３を有する、三つ又形状の管部材で構成された本体部材１１０と、管部材で構成された蛇腹部材と、を備え、出入り口１１１へは、ドレインホースが接続可能であり、出入り口１１２へは、蛇腹部材の端部が脱着可能に接続されており、蛇腹部材の端部へは、ドレインホースが接続可能である。【選択図】図２
0003231922.tif 000002
【実用新案登録請求の範囲】
【請求項１】
第一から第三の出入り口を有する、三つ又形状の管部材で構成された本体部材と、
管部材で構成された蛇腹部材と、
を備え、
前記第一の出入り口へは、第一のドレインホースが接続可能であり、
前記第二の出入り口へは、前記蛇腹部材の一方の端部が脱着可能に接続されており、
前記蛇腹部材の他方の端部へは、第二のドレインホースが接続可能であることを特徴とするジョイント部品。
【請求項２】
前記第一のドレインホースは、エアコンディショナー室外機のドレインホースであり、
前記第二のドレインホースは、エアコンディショナー室内機のドレインホースであることを特徴とする請求項１に記載のジョイント部品。
【請求項３】
前記本体部材は、ポリエチレンおよびポリプロピレンの内の少なくとも一つを利用して形成されており、
前記蛇腹部材は、ポリプロピレンを利用して形成されていることを特徴とする請求項１または２に記載のジョイント部品。
【考案の詳細な説明】
【技術分野】
【０００１】
本考案は、エアコンディショナー室外機およびエアコンディショナー室内機からのドレインホースなどを接続するためのジョイント部品に関する。
【背景技術】
【０００２】
エアコンディショナー室外機の据付け架台が、知られている（たとえば、特許文献１参照）。
【先行技術文献】
【特許文献】
【０００３】
【特許文献１】特開２０１０−１９６９７３号公報
【考案の概要】
【考案が解決しようとする課題】
【０００４】
しかしながら、エアコンディショナー室外機およびエアコンディショナー室内機からのドレインホースなどを接続するための従来のジョイント部品については、メンテナンスなどにおける利便性が必ずしも十分ではない。
【０００５】
より具体的には、エアコンディショナー室外機およびエアコンディショナー室内機からのドレインホースが施工時にジョイント部品の出入り口に挿入され、抜け防止のための粘着テープなどがそこへ巻付けられる施工時に、狭い場所でのテープ巻きなどが複数のドレインホースの干渉のために困難であることがあり、メンテナンスにおける利便性のみならず施工作業における利便性をも向上することが望ましいことに、本考案者は想到した。
【０００６】
本考案は、上述された従来の課題を考慮し、メンテナンスなどにおける利便性を向上することができるジョイント部品を提供することを目的とする。
【課題を解決するための手段】
【０００７】
第１の本考案は、第一から第三の出入り口を有する、三つ又形状の管部材で構成された本体部材と、
管部材で構成された蛇腹部材と、
を備え、
前記第一の出入り口へは、第一のドレインホースが接続可能であり、
前記第二の出入り口へは、前記蛇腹部材の一方の端部が脱着可能に接続されており、
前記蛇腹部材の他方の端部へは、第二のドレインホースが接続可能であることを特徴とするジョイント部品である。
【０００８】
これにより、第二の出入り口へは蛇腹部材の一方の端部が脱着可能に接続されているので、メンテナンスなどにおける利便性を向上することができる。
【０００９】
第２の本考案は、前記第一のドレインホースは、エアコンディショナー室外機のドレインホースであり、
前記第二のドレインホースは、エアコンディショナー室内機のドレインホースであることを特徴とする第１の本考案のジョイント部品である。
【００１０】
これにより、第一のドレインホースはエアコンディショナー室外機のドレインホースであり、第二のドレインホースはエアコンディショナー室内機のドレインホースであるので、エアコンディショナー室外機における水の出口、およびエアコンディショナー室内機における水の出口を、美観などを考慮し、作業が容易である簡単な施工で統合することができる。
【００１１】
第３の本考案は、前記本体部材は、ポリエチレンおよびポリプロピレンの内の少なくとも一つを利用して形成されており、
前記蛇腹部材は、ポリプロピレンを利用して形成されていることを特徴とする第１または第２の本考案のジョイント部品である。
【００１２】
これにより、蛇腹部材はポリプロピレンを利用して形成されているので、曲げにより撓められた、または伸縮された蛇腹部材の状態をポリプロピレンの物性によりしっかりと保持することができる。
【考案の効果】
【００１３】
本考案により、メンテナンスなどにおける利便性を向上することが可能なジョイント部品を提供することができる。
【図面の簡単な説明】
【００１４】
【図１】本考案における実施の形態のジョイント部品の斜視図
【図２】（ａ）本考案における実施の形態のジョイント部品の本体部材の左側面図、（ｂ）本考案における実施の形態のジョイント部品の本体部材の平面図
【図３】本考案における実施の形態のジョイント部品の蛇腹部材の平面図
【図４】本考案における実施の形態のジョイント部品の出入り口近傍の部分断面図
【図５】本考案における実施の形態のジョイント部品の使用の説明図
【考案を実施するための形態】
【００１５】
以下、図面を参照しながら、本考案における実施の形態について詳細に説明する。
【００１６】
はじめに、図１から４を参照しながら、本実施の形態のジョイント部品１００について具体的に説明する。
【００１７】
ここに、図１は本考案における実施の形態のジョイント部品１００の斜視図であり、図２（ａ）は本考案における実施の形態のジョイント部品１００の本体部材１１０の左側面図であり、図２（ｂ）は本考案における実施の形態のジョイント部品１００の本体部材１１０の平面図であり、図３は本考案における実施の形態のジョイント部品１００の蛇腹部材１２０の平面図であり、図４は本考案における実施の形態のジョイント部品１００の出入り口１１２近傍の部分断面図である。
【００１８】
図１においては、ドレインホース２１０、２２０および２３０がジョイント部品１００へ接続され、ジョイント部品１００が使用されている。
【００１９】
出入り口１１１は本考案における第一の出入り口の例であり、出入り口１１２は本考案における第二の出入り口の例であり、出入り口１１３は本考案における第三の出入り口の例である。
【００２０】
端部１２１は本考案における一方の端部の例であり、端部１２２は本考案における他方の端部の例である。
【００２１】
ドレインホース２１０は本考案における第一のドレインホースの例であり、ドレインホース２２０は本考案における第二のドレインホースの例である。
【００２２】
ジョイント部品１００は、本体部材１１０と、蛇腹部材１２０と、を有する。
【００２３】
本体部材１１０は、出入り口１１１、１１２および１１３を有する、三つ又形状の管部材で構成された部材である。
【００２４】
蛇腹部材１２０は、管部材で構成された部材である。
【００２５】
出入り口１１１へは、ドレインホース２１０が接続可能である。
【００２６】
出入り口１１２へは、蛇腹部材１２０の端部１２１が脱着可能に接続されている。
【００２７】
出入り口１１３へは、ドレインホース２３０が接続可能である。
【００２８】
蛇腹部材１２０の端部１２２へは、ドレインホース２２０が接続可能である。
【００２９】
蛇腹部材１２０が本体部材１１０へ接続される構成が採用されているので、蛇腹部材１２０の蛇腹部１２３は固定的ではなく極めてフレキシブルであり、利便性が向上される。
【００３０】
より具体的に説明すると、つぎの通りである。
【００３１】
すなわち、ジョイント部品１００へ接続されたドレインホース２１０および２２０は、ジョイント部品１００から外れないように粘着テープなどでしっかりと固定される。
【００３２】
しかしながら、たとえば、ドレインホース２１０が固定された後にドレインホース２２０が固定される場合においては、ドレインホース２１０の固定作業は容易であるが、ドレインホース２２０の固定作業は必ずしも容易でない。これは、接続されたドレインホース２１０および２２０は互いにかなり接近するので、すでに接続されたドレインホース２１０がつぎに接続されるドレインホース２２０の固定作業を妨げ、ドレインホース２２０を固定するための粘着テープなどの巻付けがしばしば困難であるからである。
【００３３】
ジョイント部品１００については、蛇腹部１２３が可撓的である蛇腹部材１２０が本体部材１１０へ接続されるので、すでに接続されたドレインホース２１０がつぎに接続されるドレインホース２２０の固定作業を妨げず、ドレインホース２２０を固定するためのこのような粘着テープなどの巻付けは容易である。
【００３４】
蛇腹部材１２０が本体部材１１０へ接続されるので、ジョイント部品１００へ接続されるドレインホース２１０および２２０のドレインホース導入角度は容易に調節される。蛇腹部材１２０の蛇腹部１２３は可撓的であるので、ドレインホース導入角度は制約なくかなり自由であり、テープ巻きなどのようなドレインホース固定作業はこのようなドレインホース導入角度調節性にともなってスムーズに行われる。したがって、作業者は、不自然な作業動作などを無理強いされない。
【００３５】
ジョイント部品１００の型式は一体型式でなく分割型式であるので、接続されたドレインホース２１０および２２０の取外しなしに、長い期間の使用にともなう詰まりおよび汚れなどを解消するための分割清掃作業を行うことができる。
【００３６】
蛇腹部材１２０の蛇腹部１２３は可撓的であるのみならず伸縮可能であるので、施工後の十分な長さ調節機能も実現される。
【００３７】
つぎに、図１を主として参照しながら、本実施の形態のジョイント部品１００についてより具体的に説明する。
【００３８】
ドレインホース２１０は、エアコンディショナー室外機のドレインホースである。
【００３９】
ドレインホース２２０は、エアコンディショナー室内機のドレインホースである。
【００４０】
いわゆるルームエアコンのようなエアコンディショナーにおいては、夏季の冷房時には結露水はエアコンディショナー室内機において生成されるが、逆に、冬季の暖房時には結露水はエアコンディショナー室外機において生成される。したがって、ともに必要である、エアコンディショナー室外機における水の出口、およびエアコンディショナー室内機における水の出口は、美観などを考慮し、作業が容易である簡単な施工で統合されることが望ましい。
【００４１】
たとえば、上方から延設されたエアコンディショナー室内機のドレインホース２２０が蛇腹部材１２０へ接続された後に、蛇腹部材１２０が曲げにより撓められ、ベランダに設置されたエアコンディショナー室外機のドレインホース２１０が本体部材１１０へ接続される施工が行われてもよいし、エアコンディショナー室外機のドレインホース２１０が本体部材１１０へ接続された後に、蛇腹部材１２０が曲げにより撓められ、エアコンディショナー室内機のドレインホース２２０が蛇腹部材１２０へ接続される施工が行われてもよい。ドレインホース統合はこのような簡単な施工で実現され、出入り口１１３へ接続されたドレインホース２３０からの排水は優れた美観の態様で行われる。
【００４２】
つぎに、図４を主として参照しながら、本実施の形態のジョイント部品１００についてさらにより具体的に説明する。
【００４３】
本体部材１１０は、ポリエチレンおよびポリプロピレンの内の少なくとも一つを利用して形成されている。
【００４４】
蛇腹部材１２０は、ポリプロピレンを利用して形成されている。
【００４５】
たとえば、蛇腹部材１２０の嵌合部である端部１２１が差込まれる本体部材１１０はポリエチレン製部材であり、本体部材１１０へ差込まれる蛇腹部材１２０はポリプロピレン製部材である。もちろん、蛇腹部材１２０はポリエチレン製部材であってもよいが、曲げにより撓められた、または伸縮された蛇腹部材１２０の状態はポリプロピレンの物性によりしっかりと保持される。
【００４６】
ジョイント部品１００の型式は上述されたように分割型式であるので、ジョイント部品１００の製造金型は本体部材１１０のための金型部分および蛇腹部材１２０のための金型部分を有する。したがって、ジョイント部品１００の成型は一体成型でないが、本体部材１１０および蛇腹部材１２０は、二つの金型部分を利用して別々に成型された後に、外れにくい差込み構成を利用して容易に組立てられる。
【００４７】
ジョイント部品１００の使用の態様は、さまざまである。
【００４８】
たとえば、エアコンディショナーはベランダの天井吊りで設置されることもあるし、エアコンディショナー室外機は家屋外壁に器具を利用して設置されることもあるし、２階のエアコンディショナーのエアコンディショナー室外機は屋根に設置されることもある。これらの態様においては、ジョイント部品１００は空中で使用される。
【００４９】
本考案における実施の形態のジョイント部品１００の使用の説明図である図５に示されているように、エアコンディショナーは、１階で設置されることもあるし、ベランダの床置きで設置されることもある。
【００５０】
テープ巻きなどのようなドレインホース固定作業がスムーズに行われるように横に曲がる蛇腹部材１２０は、縦にも曲がる。したがって、エアコンディショナー室内機Ｐのドレインホース２２０はジョイント部品１００へ上方から接続可能であり、同時に、パイプＲが連結されているエアコンディショナー室外機Ｑのドレインホース２１０はジョイント部品１００へ側方から接続可能である。美観などを考慮し、エアコンディショナー室外機Ｑから排出された水がベランダまたは地面に広がらないように、二本のドレインホース２１０および２２０が蛇腹部材１２０を有するフレキシブルなジョイント部品１００により単一のドレインホース２３０へコンパクトにまとめられ、壁に沿ったホース配設によるスマートな施工が実現される。
【００５１】
かくして、本考案により、エアコンディショナー室外機およびエアコンディショナー室内機からのドレインホースが施工時にジョイント部品の出入り口に挿入され、抜け防止のための粘着テープなどがそこへ巻付けられる施工時に、狭い場所でのテープ巻きなどが複数のドレインホースの干渉のために困難であることがあるが、メンテナンスにおける利便性のみならず施工作業における利便性をも向上することができる。
【産業上の利用可能性】
【００５２】
本考案におけるジョイント部品は、メンテナンスなどにおける利便性を向上することができ、エアコンディショナー室外機およびエアコンディショナー室内機からのドレインホースなどを接続するためのジョイント部品に利用する目的に有用である。
【符号の説明】
【００５３】
１００  ジョイント部品
１１０  本体部材
１１１、１１２、１１３  出入り口
１２０  蛇腹部材
１２１、１２２  端部
１２３  蛇腹部
２１０、２２０、２３０  ドレインホース
Ｐ  エアコンディショナー室内機
Ｑ  エアコンディショナー室外機
Ｒ  パイプ
【図１】
0003231922.tif 000003
【図２】
0003231922.tif 000004
【図３】
0003231922.tif 000005
【図４】
0003231922.tif 000006
【図５】
0003231922.tif 000007